(57)【要約】【課題】従来技術の１つまたは複数の欠点を克服するエレクトロルミネセンス製品を提供する。【解決手段】前記課題は、エネルギー源と電子駆動制御部と少なくとも１つのエレクトロルミネセンスフィルムとが１つの透明被覆部内に設けられていることを特徴とするエレクトロルミネセンスユニットによって解決される。【選択図】図１
0003141051.tif 000002
【実用新案登録請求の範囲】
【請求項１】
エレクトロルミネセンスユニットにおいて、
エネルギー源と、
電子駆動部と、
少なくとも１つのエレクトロルミネセンスフィルムとが１つの透明被覆部内に設けられていることを特徴とする、エレクトロルミネセンスユニット。
【請求項２】
複数のエレクトロルミネセンスフィルムを有し、
該エレクトロルミネセンスフィルムの形態は同じであるかまたは異なる、請求項１記載のエレクトロルミネセンスユニット。
【請求項３】
前記エレクトロルミネセンスフィルムの形態は、シンボル、幾何学的形状、画像、文字またはこれらの形態の組み合わせを有するグループから選択される、請求項１または２記載のエレクトロルミネセンスユニット。
【請求項４】
前記エレクトロルミネセンスフィルムは、赤色、黄色、緑色、青色またはこれらの色の組み合わせから選択された色を有する発光色層を有し、該発光色層の色は同じであるかまたは異なる、請求項１から３までのいずれか１項記載のエレクトロルミネセンスユニット。
【請求項５】
前記エレクトロルミネセンスフィルムの間隔は等しいかまたは異なる、請求項１から４までのいずれか１項記載のエレクトロルミネセンスユニット。
【請求項６】
前記エネルギー源は、ＮｉＣｄバッテリー、ＮｉＭＨバッテリー、リチウムイオンバッテリー、光起電力セル、またはこれらのエネルギー源の組み合わせのグループから選択される、請求項１から５までのいずれか１項記載のエレクトロルミネセンスユニット。
【請求項７】
前記電子駆動制御部はインバータおよび誘導式充電部を有する、請求項１から６までのいずれか１項記載のエレクトロルミネセンスユニット。
【請求項８】
前記透明被覆部は透明プラスチック層である、請求項１から７までのいずれか１項記載のエレクトロルミネセンスユニット。
【請求項９】
前記透明被覆部はすべての面で封止されている、請求項１から８までのいずれか１項記載のエレクトロルミネセンスユニット。
【請求項１０】
前記透明被覆部はマージンを有する、請求項１から９までのいずれか１項記載のエレクトロルミネセンスユニット。
【請求項１１】
請求項１から１０までのいずれか１項記載のエレクトロルミネセンスユニットを有するか、または該エレクトロルミネセンスユニットから成ることを特徴とする発光製品。
【請求項１２】
持ち運び用入れ物または日用品である、請求項１１記載の発光製品。
【請求項１３】
バッグ、ランドセル、袋、リュックサック、ケース、カバー、衣料品、スポーツ用品、水中黒板、書籍、献立表、プログラム冊子、傘、家具、セキュリティ用衣服、作業用板、機器筐体、ボディ、鉄道車両壁、車両カバー（Waggonhuelle）、ボイラ車両、船艇カバー（Schiffshuelle）、航空機ボディ、主翼、ドアおよび子供用玩具を含むグループの中から選択されている、請求項１１または１２記載の発光製品。
【請求項１４】
前記子供用玩具は、航空機模型、自動車模型、模型工作用の部品、人形部屋、鉄道模型およびヨーヨーを含むグループの中から選択されている、請求項１３記載の発光製品。
【請求項１５】
前記発光製品の材料は前記エレクトロルミネセンスユニットの透明被覆部のマージンと、縫いつけるか、ねじ留めするか、接着するか、面ファスナによって接続されるか、実はぎ接合によって嵌入されるか、差し込まれるか、クランプされるか、圧潰されるか、または溶接されている、請求項１１から１４までのいずれか１項記載の発光製品。
【請求項１６】
前記発光製品の材料は、木材、皮革、ガラス、金属、プラスチック、布面画および／または別のエレクトロルミネセンスユニットまたはこれらの材料の組み合わせを含むグループから選択されている、請求項１１から１５までのいずれか１項記載の発光製品。
【請求項１７】
前記布面画は、織布、フリース、ニットまたはこれらの布面画の組み合わせから選択されている、請求項１６記載の発光製品。
【考案の詳細な説明】
【技術分野】
【０００１】
以下に記載された本考案は、エレクトロルミネセンスユニットと、該エレクトロルミネセンスを備えた製品、とりわけ該エレクトロルミネセンスを備えた日用品および輸送手段とに関する。
【背景技術】
【０００２】
必要なエネルギー源と電子回路とを有するエレクトロルミネセンスフィルム、エレクトロルミネセンスフィルムを動作するのに必要な交流電圧を供給する微細化または離散的に構成されたインバータ、およびエレクトロルミネセンスフィルムの異なる動作モードに対する別の電子回路は従来技術にあり、文献に明確に記載されている。たとえばＤＥ２９６０００４７Ｕ１に、光学的なセキュリティ信号装置が開示されている。このセキュリティ信号装置では、エレクトロルミネセンスフィルムはバッテリーによって動作し、該バッテリーには交流変換器および制御ユニットが接続されており、この制御ユニットには操作ユニットを補足することができる。このような装置はたとえば、ジャケットまたはごく一般的にはセキュリティ衣類に装備することができる。このような装置のための部品は個別に衣料品に取り付けられ、とりわけエレクトロルミネセンス表示層が透明膜によって衣料品に縫い付けられるか、または衣料品に固定される。このように装備することの欠点は、携帯性を保証するためには、各個別の部品を取り付けるのに必要な手間が大きいことである。装置の部品間の接続ケーブルを衣料品に通したり、衣料品に縫い付けたりするのは面倒である。エレクトロルミネセンスフィルムを衣料品に固定するための縫い目を水密性ないしは耐天候性にするのは、一般的には特に付加的な手間となり、エレクトロルミネセンスフィルム自体は耐天候性ではないので、衣料品におけるこのようなエレクトロルミネセンス装置の耐久性を実現するためには付加的に大きな手間が必要である。しかし、セキュリティ衣類はしばしば厳しい使用条件にさらされることが多く、このような装置はあまり丈夫ではないので、耐久性は制限されるかまたは十分でないことさえある。
【０００３】
ＤＥ２９５１７０７８Ｕ１に、セキュリティ画像または飾り画像として種々のモチーフで形成されたエレクトロルミネセンスボタンまたはエレクトロルミネセンスフィルムが開示されている。これは、種々の衣料品またはランドセルに、面ファスナまたはクリップによって固定することができる。この文献には、エレクトロルミネセンスフィルムおよび該エレクトロルミネセンスフィルムの動作に必要な部品は、透明なカバーによってのみ天候の影響から保護されるか、ないしは分散的に取り付けられることも記載されている。また、エネルギー源はクランプ装置または差込装置によって接続され、このことはこのような取り付け法の安定性を制限し、またクランプ接続部ないしは差込接続部の消耗または汚れの点で摩耗に対して脆弱である。エネルギー供給が常に得られることは電源網接続端子によって保証されるか、またはバッテリーが交換可能であることにより保証されるが、このような手法は第１に、これが装備された対象物の移動性ないしは携帯性を制限し、第２に、環境保護および省資源の観点からすると、現在ではますます不所望となる。
【０００４】
欧州特許公報ＥＰ０３５０９０７Ｂ１は次のようなエレクトロルミネセンス薄膜パネルを開示する。すなわち、減衰阻止特性を有するプラスチックによって、薄膜エレクトロルミネセンスディスプレイが外部で接触する湿度に対して耐性を有するように作製されたエレクトロルミネセンス薄膜パネルが開示されている。この装置は、基板プレートに接着されている。このような構成の欠点は、フレキシビリティが低いかまたは不足していることであり、これによって、同様にフレキシブルでない日用品での使用は制限されてしまう。
【特許文献１】ＤＥ２９６０００４７Ｕ１
【特許文献２】ＤＥ２９５１７０７８Ｕ１
【特許文献３】欧州特許公報ＥＰ０３５０９０７Ｂ１
【考案の開示】
【考案が解決しようとする課題】
【０００５】
したがって本考案の課題は、従来技術の１つまたは複数の欠点を克服するエレクトロルミネセンス製品を提供することである。
【課題を解決するための手段】
【０００６】
前記課題は驚くべきことに、次のようなエレクトロルミネセンスユニットによって解決される。すなわち、エネルギー源と電子駆動制御部と少なくとも１つのエレクトロルミネセンスフィルムとが透明被覆部内に設けられていることを特徴とするエレクトロルミネセンスユニットによって解決される。
【考案を実施するための最良の形態】
【０００７】
したがって、エレクトロルミネセンスユニットとは本考案の枠内では、１つまたは複数のエレクトロルミネセンスフィルムの動作に必要な部品と該１つまたは複数のエレクトロルミネセンスフィルムと、すべての部品および該エレクトロルミネセンスフィルムを一緒に被覆するための透明被覆部とを有するシステムを指す。
【０００８】
本考案の特徴は、１つまたは複数のエレクトロルミネセンスフィルムの動作に必要な部品、たとえば
・１つまたは複数のエレクトロルミネセンスフィルム
・エネルギー源
・ＤＣ‐ＡＣインバータと電子式オンオフスイッチとを有する電子駆動制御部
・電子充電装置
・接続ケーブル
が１つの透明被覆部内にまとめられていることである。
【０００９】
したがって本考案の対象は、次のようなエレクトロルミネセンスユニットである。すなわち、エネルギー源と電子駆動制御部と少なくとも１つのエレクトロルミネセンスフィルムとが１つの被覆部内に設けられていることを特徴とするエレクトロルミネセンスユニットである。
【００１０】
また本考案の対象は、本考案によるエレクトルルミネセンスユニットを有するかまたは本考案によるエレクトロルミネセンスユニットから成ることを特徴とする発光製品でもある。
【００１１】
本考案の別の利点は、本考案によるエレクトロルミネセンスユニットは耐天候性かつ水密性であり、容易にすべての種類の物に取り付けるかまたはすべての種類の物に組み込むことができるという点である。
【００１２】
本考案の別の利点は、部品と本考案によるエレクトロルミネセンスユニットとの間に接続ケーブルを、本考案による発光製品の材料の表面または内部に分散的ないしは付加的に配線、固定ないしは組み込むことが省略され、コスト削減になることである。本考案はさらに、本考案による発光製品を完全に、本考案によるエレクトロルミネセンスユニットから構成できるという利点も有する。このことにより、使用時にはこのような発光製品に、特別な光学的魅力が与えられる。
【００１３】
以下で本考案の対象を例によって説明する。しかし、特許請求の範囲と明細書とから保護範囲が決定される本考案は、この例に限定されない。
【００１４】
本考案のエレクトロルミネセンスユニットは、エレクトロルミネセンスユニットのエネルギー源と電子駆動制御部と少なくとも１つのエレクトロルミネセンスフィルムとが１つの被覆部内に設けられていることを特徴とする。
【００１５】
本考案によるエレクトロルミネセンスユニットは、１つまたは複数のエレクトロルミネセンスフィルムを有することができる。エレクトロルミネセンスユニットが複数のフィルムを有する場合、エレクトルミネセンスフィルムの形態は同じであるかまたは異なることができる。エレクトロルミネセンスフィルムは、相互に重ねられて配置されるか、または相互に隣接して配置することができる。このようにして、異なるシンボルを表示することができる。本考案によるエレクトロルミネセンスユニットのフィルムの形態はたとえば、シンボル、幾何学的形状、画像、文字またはこれらの形態の組み合わせとからなるグループから選択することができる。シンボルは、アイコン、会社ロゴ、指示記号、静止画像、方向記号のグループから選択するか、またはこれらのシンボルの組み合わせを選択することができ、方向記号は矢印の中から選択することができる。
【００１６】
特に有利には形態は、切断されたエレクトロルミネセンスフィルムから形成されるか、または透明または透光性の１つまたは複数のインクが印刷されたエレクトロルミネセンスフィルムから形成することができる。
【００１７】
本考案によるエレクトロルミネセンスユニットのエレクトロルミネセンスフィルムは有利には、赤色、黄色、緑色、青色またはこれらの色の組み合わせから選択された色を有する発光色層を有し、この色は同じであるかまたは異なる。特に有利には、本考案によるエレクトロルミネセンスユニットのエレクトロルミネセンスフィルムは、赤色、緑色および青色の原色の加色混合によって得られる色を有する発光色層を有する。さらに特に有利には、エレクトロルミネセンスフィルムの色を異なって選択し、これらのフィルムを相互に積層して配置することができる。このようにして、異なる色のシンボルを表示することができる。
【００１８】
相互に隣接して配置されたエレクトロルミネセンスフィルムの間隔は、同じであるかまたは異なる。
【００１９】
エネルギー源として、任意の適切なエネルギー源を使用することができる。有利には、バッテリー、光起電力セルまたはこれらの組み合わせを使用することができる。本考案によるエレクトロルミネセンスユニットのエネルギー源は有利には、使い捨てバッテリーまたは再充電可能なバッテリーから選択することができ、ＮｉＣｄバッテリー、ＮｉＭＨバッテリー、リチウムイオンバッテリー、光起電力セルまたはこれらのエネルギー源の組み合わせとから成るグループから選択することができる。特に有利なのは、エネルギー源を再充電可能なリチウムイオンバッテリーとすることである。特に有利であるのは、エネルギー源が再充電可能なバッテリーと光起電力セルとの組み合わせであり、有利には再充電可能なリチウムイオンバッテリーと光起電力セルとの組み合わせであることだ。このような光起電力セルを介して、バッテリーは日光または人工光の入射で再充電することができる。さらに特に有利なのは、バッテリーまたは再充電可能なバッテリーは扁平な形状を有することであり、バッテリーまたは再充電可能なバッテリーの厚さを０．５〜１０ｍｍに選択し、有利には１〜８ｍｍに選択し、さらに有利には３〜６ｍｍに選択する。
【００２０】
さらに有利には、本考案によるエレクトロルミネセンスユニットの電子駆動制御部は、インバータと誘導式充電部とを有する。このような電子駆動制御部の利点は、誘導式充電部によって本考案によるエレクトロルミネセンスユニットに再充電できると同時に、エレクトロルミネセンスユニットの携帯性が保証されたままであり、従来技術によるエレクトロルミネセンスユニットより本エレクトロルミネセンスユニットのアベイラビリティが向上することである。特に有利には、本考案によるエレクトロルミネセンスユニットの電子駆動制御部は、再充電可能なバッテリー、有利にはリチウムイオンバッテリーと、光起電力セルおよび誘導式充電部との組み合わせを有することである。さらに特に有利には、本考案によるエレクトロルミネセンスユニットの電子駆動制御部の構成形式を、小型形状、有利には小型の扁平形状から選択し、該電子駆動制御部の厚さを０．５〜１０ｍｍに選択し、有利には１〜８ｍｍに選択し、さらに有利には３〜６ｍｍに選択する。
【００２１】
さらに有利なのは、本考案によるエレクトロルミネセンスユニットの電子駆動制御部の電子オン／オフスイッチがセンサを有することであり、有利には、本考案によるエレクトロルミネセンスユニットを活性化および不活性化するための感熱センサ、感光センサ、感圧センサまたは加速度感知センサを有することである。
【００２２】
さらに有利には、本考案によるエレクトロルミネセンスユニットの電子駆動部が、本考案によるエレクトロルミネセンスユニットを自動切り替えで活性化および不活性化するための回路を有し、本考案によるエレクトロルミネセンスユニットの１つまたは複数のエレクトロルミネセンスフィルムが点滅リズムで光を送出できるように構成する。本考案によるエレクトロルミネセンスユニットが複数のエレクトロルミネセンスフィルムを有する場合、さらに有利なのは、エレクトロルミネセンスフィルムの点滅リズムを等しくするかまたは異なることができることである。
【００２３】
本考案によるエレクトロルミネセンスユニットの被覆部は、透明プラスチック層である。オプションとして、この透明プラスチック層を、透明ポリマーの群から選択することができる。有利には本考案によるエレクトロルミネセンスユニットの被覆部は、ポリプロピレン、ポリエチレン、ポリメチルメタクリレートまたはこれらのポリマーの組み合わせを有するか、またはこれらから成る。
【００２４】
被覆部は、本考案によるエレクトロルミネセンスユニットが透明プラスチック層に溶接されるか、接着されるか、巻回されるか、または射出成形されることによって組み込まれる。この透明プラスチック層は１つのエレクトロルミネセンスフィルム上に、または複数の各エレクトロルミネセンスフィルム上に０．０１〜５ｍｍの厚さを有することができ、有利には０．０２〜４ｍｍの厚さを有し、さらに有利には０．０３〜３ｍｍの厚さを有し、特に有利には０．０５〜１ｍｍの厚さを有し、とりわけ特に有利には０．１〜０．７５ｍｍの厚さを有する。
【００２５】
本考案によるエレクトロルミネセンスユニットの透明プラスチック層を積層フィルムから形成し、該エレクトロルミネセンスユニットを２つまたはそれより多くの積層フィルム間に溶融で挟むと有利である。
【００２６】
さらに、本考案によるエレクトロルミネセンスユニットの被覆部がすべての面で封止されていると有利である。すべての面で封止された被覆部とは、ここで以下では、エネルギー源と電子駆動制御部と１つのエレクトロルミネセンスフィルムとを封入面で被覆する被覆部を意味するか、またはエレクトロルミネセンスユニットが複数のエレクトロルミネセンスフィルムを有する場合には、エネルギー源と電子駆動制御部と複数のエレクトロルミネセンスフィルムとを封止面で被覆する被覆部を意味する。
【００２７】
それゆえ本考案によるエレクトロルミネセンスユニットは、前記エレクトロルミネセンスユニットの電子部品が周辺と物理的に直接コンタクトしないという利点を有する。したがって本考案によるエレクトロルミネセンスユニットは、とりわけ被覆部がすべての面で封止されている場合、耐天候性かつ耐水性であるという利点も有する。本考案によるエレクトロルミネセンスユニットはさらに、前記エレクトロルミネセンスユニットの電子部品の被覆部が耐接触性であるという利点も有する。また本考案によるエレクトロルミネセンスユニットは、従来技術による手法と比較して、機械的な保護が改善されるという利点と、耐久性および動作信頼性が上昇するという利点も有する。さらに本考案によるエレクトロルミネセンスユニットには、従来技術と比較して、電圧を通す部品の接触に対する保護がより耐性を有するという利点もある。
【００２８】
さらに、本考案によるエレクトロルミネセンスユニットの被覆部は、マージンを有すると有利である。このマージンの幅とは、ここで以下では、透明プラスチック層の厚さに対して垂直であってエレクトロルミネセンスフィルムの上にある面で測定される尺度を指す。このマージンの幅は有利には、０．５mm〜３ｃｍとして選択することができ、有利には１ｍｍ〜２ｃｍとして選択することができ、特に有利には２ｍｍ〜１ｃｍに選択することができる。
【００２９】
また本考案の対象は、本考案によるエレクトルルミネセンスユニットを有するかまたは本考案によるエレクトロルミネセンスユニットから成ることを特徴とする発光製品でもある。
【００３０】
本考案による発光製品は、たとえば持ち運び用入れ物または日用品とすることができる。
【００３１】
本考案による発光製品は、バッグ、ランドセル、袋、リュックサック、ケース、カバー、衣料品、スポーツ用品、水中黒板、書籍、献立表、プログラム冊子、傘、家具、セキュリティ用衣服、作業用板、機器筐体、ボディ、鉄道車両壁、車両カバー（Waggonhuelle）、ボイラ車両、船艇カバー（Schiffshuelle）、航空機ボディ、主翼、ドアおよび子供用玩具を含むグループの中から選択することができる。有利には子供用玩具は、航空機模型、自動車模型、模型工作用の部品、人形部屋、鉄道模型およびヨーヨーを含むグループの中から選択することができる。
【００３２】
スポーツ用品はたとえば、スキー、ダイビング、登山、ハイキング、トレッキング、ジョギング、サイクリングで使用されるかまたは衣服または装備として着用される衣服または物とすることができる。衣服はたとえば、日用すべての衣料品、祝祭用の衣服、劇場衣装、表現芸術の衣装または休日用衣服とすることができる。
【００３３】
本考案による発光製品はさらに、学校用ランドセル、サイクリングバッグ、トレッキング用バッグ、ゴルフバッグ、小袋、矢筒から選択することができ、さらに、ＣＤジャケット、ＨＤＣＤジャケット、ＤＶＤジャケット、ＤＶＤオーディオジャケット、レコードジャケット、コンパクトディスクカートンボックス、回転式ＣＤラック、三角袋、瓶、シャンプーボトル、ドリンクボトル、危険物ボトル、印刷ガス容器、やかん、トランク、曲面トランク、大型トランク、ビジネスケース、バッグ、ハンドバッグから選択することもできる。
【００３４】
さらに、本考案による発光製品の材料を本考案によるエレクトロルミネセンスユニットの被覆部のマージンと、縫いつけるか、ねじ留めするか、接着するか、面ファスナによって接続されるか、実はぎ接合によって嵌入されるか、差し込まれるか、クランプされるか、圧潰されるか、または溶接されると有利である。本考案による発光製品の材料は、木材、皮革、ガラス、金属、金属合金、プラスチック、ゴム、カウチューク、布面画、および／または別のエレクトロルミネセンスユニット、有利には１つまたは２つまたは３つまたは４つまたは５つまたは６つの別のエレクトロルミネセンスユニット、またはこれらの材料の組み合わせを含むグループから選択することができる。本考案による発光製品の材料を布面画から選択する場合、有利なのはこの布面画を、織布、フリース、ニットまたはこれらの面画の組み合わせから選択することである。
【実施例】
【００３５】
以下の図は、本考案による発光製品を詳説するが、本考案はこの実施例に限定されない。
【００３６】
図１  Alfred Sternjakob GmbH & Co. KG 社の Scoutという商標の学校用ランドセルの前面を写真撮影したものであり、本考案によるエレクトロルミネセンスユニット（１）を有する。このエレクトロルミネセンスユニットはマージン（１ｃ）で、前面の封止ベルトに組み込まれており、２つのエレクトロルミネセンスユニット（１ａ）および（１ｂ）を相互に間隔を置いて有する。
【００３７】
図２  図１の学校用ランドセルの側面を前面として撮影したものを示す。この学校用ランドセルの側部のボディに、エレクトロルミネセンスフィルムを有する本考案による別のエレクトロルミネセンスユニット（２）が組み込まれている。
【図面の簡単な説明】
【００３８】
【図１】学校用ランドセルの前面の実施例を示す。
【図２】図１の学校用ランドセルの側面を前面として示す。
【図１】
0003141051.tif 000003
【図２】
0003141051.tif 000004
【手続補正書】
【提出日】平成19年12月27日(2007.12.27)
【手続補正１】
【補正対象書類名】図面
【補正対象項目名】全図
【補正方法】変更
【補正の内容】
【図１】
0003141051.tif 000005
【図２】
0003141051.tif 000006